【手続補正書】
【提出日】令和3年4月28日(2021.4.28)
【手続補正１】
【補正対象書類名】特許請求の範囲
【補正対象項目名】全文
【補正方法】変更
【補正の内容】
【特許請求の範囲】
【請求項１】
車両（Ａ）において用いられ、ヘッドアップディスプレイ（２０）によるコンテンツの重畳表示を制御する表示制御装置であって、
前記車両の車線変更を制御する車線変更制御部（５１）から、当該車線変更に関する車線変更情報を取得する情報取得部（７２）と、
前記車線変更情報に基づき、前記車線変更制御部が前記車線変更を待機している待機状態か否かを判定する状態判定部（７５）と、
前記状態判定部が前記待機状態でないと判定した場合、前記車線変更の実行状態を示す実行通知コンテンツ（ＣＴｅ）を前景中の路面に重畳表示させ、前記状態判定部が前記待機状態であると判定した場合、前記実行通知コンテンツとは異なる態様の待機通知コンテンツ（ＣＴｗ）を前記路面に重畳表示させる表示制御部（７６）と、を備え、
前記情報取得部は、前記車線変更制御部に前記車線変更の実施を指示するオン操作に関連するオン操作情報を取得し、
前記表示制御部は、前記待機状態か否かが前記状態判定部によって判定される以前に、前記情報取得部による前記オン操作情報の取得に基づき、前記オン操作の受け付けを通知する応答通知コンテンツ（ＣＴａ）を、重畳対象が特定されない非重畳コンテンツ（ＣＴｎ）として表示させる表示制御装置。
【請求項２】
前記表示制御部は、前記ヘッドアップディスプレイの画角（ＶＡ）を通して視認されるリスク対象（Ａｂ）と重ならない形状に、前記待機通知コンテンツを変形させる請求項１に記載の表示制御装置。
【請求項３】
車両（Ａ）において用いられ、ヘッドアップディスプレイ（２０）によるコンテンツの重畳表示を制御する表示制御装置であって、
前記車両の車線変更を制御する車線変更制御部（５１）から、当該車線変更に関する車線変更情報を取得する情報取得部（７２）と、
前記車線変更情報に基づき、前記車線変更制御部が前記車線変更を待機している待機状態か否かを判定する状態判定部（７５）と、
前記状態判定部が前記待機状態でないと判定した場合、前記車線変更の実行状態を示す実行通知コンテンツ（ＣＴｅ）を前景中の路面に重畳表示させ、前記状態判定部が前記待機状態であると判定した場合、前記実行通知コンテンツとは異なる態様の待機通知コンテンツ（ＣＴｗ）を前記路面に重畳表示させる表示制御部（７６）と、を備え、
前記表示制御部は、前記ヘッドアップディスプレイの画角（ＶＡ）内に、前記車線変更での移動先となる隣接車線（Ｌｎｄ）を走行する他車両が視認される場合、前記他車両と重ならないよう前記待機通知コンテンツの形状を補正する表示制御装置。
【請求項４】
前記情報取得部は、前記車線変更制御部に前記車線変更の実施を指示するオン操作に関連するオン操作情報を取得し、
前記表示制御部は、前記情報取得部による前記オン操作情報の取得に基づき、前記オン操作の受け付けを通知する応答通知コンテンツ（ＣＴａ）を、重畳対象が特定されない非重畳コンテンツ（ＣＴｎ）として表示させる請求項３に記載の表示制御装置。
【請求項５】
前記表示制御部は、前記状態判定部による前記待機状態の判定が継続する期間において、前記待機通知コンテンツの形状を、重畳対象となる前記路面の形状に合わせて更新する請求項１〜４のいずれか一項に記載の表示制御装置。
【請求項６】
前記表示制御部は、前記車両の予想軌跡を示す前記待機通知コンテンツを前記路面に重畳表示させる請求項１〜５のいずれか一項に記載の表示制御装置。
【請求項７】
車両（Ａ）において用いられ、ヘッドアップディスプレイ（２０）によるコンテンツの重畳表示を制御する表示制御装置であって、
前記車両の車線変更を制御する車線変更制御部（５１）から、当該車線変更に関する車線変更情報を取得する情報取得部（７２）と、
前記車線変更情報に基づき、前記車線変更制御部が前記車線変更を待機している待機状態か否かを判定する状態判定部（７５）と、
前記状態判定部が前記待機状態でないと判定した場合、前記車線変更の実行状態を示す実行通知コンテンツ（ＣＴｅ）を前景中の路面に重畳表示させ、前記状態判定部が前記待機状態であると判定した場合、前記実行通知コンテンツと関連する態様の待機通知コンテンツ（ＣＴｗｎ）を、重畳対象が特定されない非重畳コンテンツ（ＣＴｎ）として表示させる表示制御部（７６）と、を備え、
前記情報取得部は、前記車線変更制御部に前記車線変更の実施を指示するオン操作に関連するオン操作情報を取得し、
前記表示制御部は、前記待機状態か否かが前記状態判定部によって判定される以前に、前記情報取得部による前記オン操作情報の取得に基づき、前記オン操作の受け付けを通知する応答通知コンテンツ（ＣＴａ）を、前記非重畳コンテンツとして表示させる表示制御装置。
【請求項８】
車両（Ａ）において用いられ、ヘッドアップディスプレイ（２０）によるコンテンツの重畳表示を制御する表示制御装置であって、
前記車両の車線変更を制御する車線変更制御部（５１）から、当該車線変更に関する車線変更情報を取得する情報取得部（７２）と、
前記車線変更情報に基づき、前記車線変更制御部が前記車線変更を待機している待機状態か否かを判定する状態判定部（７５）と、
前記状態判定部が前記待機状態でないと判定した場合、前記車線変更の実行状態を示す実行通知コンテンツ（ＣＴｅ）を前景中の路面に重畳表示させ、前記状態判定部が前記待機状態であると判定した場合、前記実行通知コンテンツと関連する態様の待機通知コンテンツ（ＣＴｗｎ）を、重畳対象が特定されない非重畳コンテンツ（ＣＴｎ）として表示させる表示制御部（７６）と、を備え、
前記情報取得部は、前記車線変更制御部に前記車線変更の実施を指示するオン操作に関連するオン操作情報を取得し、
前記表示制御部は、前記情報取得部による前記オン操作情報の取得に基づき、前記オン操作の受け付けを通知する、前記実行通知コンテンツと関連する態様の応答通知コンテンツ（ＣＴａ）を、前記非重畳コンテンツとして表示させる表示制御装置。
【請求項９】
車両（Ａ）において用いられ、ヘッドアップディスプレイ（２０）によるコンテンツの重畳表示を制御する表示制御装置であって、
前記車両の車線変更を制御する車線変更制御部（５１）から、当該車線変更に関する車線変更情報を取得する情報取得部（７２）と、
前記車線変更情報に基づき、前記車線変更制御部が前記車線変更を待機している待機状態か否かを判定する状態判定部（７５）と、
前記状態判定部が前記待機状態でないと判定した場合、前記車線変更の実行状態を示す実行通知コンテンツ（ＣＴｅ）を前景中の路面に重畳表示させ、前記状態判定部が前記待機状態であると判定した場合、前記実行通知コンテンツと関連する態様の待機通知コンテンツ（ＣＴｗｎ）を前記路面に重畳表示させる表示制御部（７６）と、を備え、
前記情報取得部は、前記車線変更制御部に前記車線変更の実施を指示するオン操作に関連するオン操作情報を取得し、
前記表示制御部は、前記情報取得部による前記オン操作情報の取得に基づき、前記オン操作の受け付けを通知する、前記実行通知コンテンツと関連する態様の応答通知コンテンツ（ＣＴａ）を前記路面に重畳表示させる表示制御装置。
【請求項１０】
前記表示制御部は、
前記応答通知コンテンツの次に前記実行通知コンテンツを表示させ、
前記状態判定部が前記待機状態であると判定した場合、前記実行通知コンテンツに替えて前記待機通知コンテンツを表示させる請求項８又は９に記載の表示制御装置。
【請求項１１】
前記表示制御部は、前記ヘッドアップディスプレイの画角（ＶＡ）を通して視認されるリスク対象（Ａｂ）と重ならない形状に、前記待機通知コンテンツを変形させる請求項７〜１０のいずれか一項に記載の表示制御装置。
【請求項１２】
車両（Ａ）において用いられ、ヘッドアップディスプレイ（２０）によるコンテンツの重畳表示を制御する表示制御装置であって、
前記車両の車線変更を制御する車線変更制御部（５１）から、当該車線変更に関する車線変更情報を取得する情報取得部（７２）と、
前記車線変更情報に基づき、前記車線変更制御部が前記車線変更を待機している待機状態か否かを判定する状態判定部（７５）と、
前記状態判定部が前記待機状態でないと判定した場合、前記車線変更の実行状態を示す実行通知コンテンツ（ＣＴｅ）を前景中の路面に重畳表示させ、前記状態判定部が前記待機状態であると判定した場合、前記実行通知コンテンツと関連する態様の待機通知コンテンツ（ＣＴｗｎ）を、重畳対象が特定されない非重畳コンテンツ（ＣＴｎ）として表示させる表示制御部（７６）と、を備え、
前記表示制御部は、前記ヘッドアップディスプレイの画角（ＶＡ）内に、前記車線変更での移動先となる隣接車線（Ｌｎｄ）を走行する他車両が視認される場合、前記他車両と重ならないよう前記待機通知コンテンツの形状を補正する表示制御装置。
【請求項１３】
前記情報取得部は、前記車線変更制御部に前記車線変更の実施を指示するオン操作に関連するオン操作情報を取得し、
前記表示制御部は、前記情報取得部による前記オン操作情報の取得に基づき、前記オン操作の受け付けを通知する応答通知コンテンツ（ＣＴａ）を、前記非重畳コンテンツとして表示させる請求項１２に記載の表示制御装置。
【請求項１４】
前記表示制御部は、前記状態判定部による前記待機状態の判定が継続する期間において、前記待機通知コンテンツの形状を一定に維持する請求項７〜１３のいずれか一項に記載の表示制御装置。
【請求項１５】
車両（Ａ）において用いられ、ヘッドアップディスプレイ（２０）によるコンテンツの重畳表示を制御する表示制御プログラムであって、
少なくとも一つの処理部（１１）に、
前記車両の車線変更を制御する車線変更制御部（５１）から前記車線変更の実施を指示するオン操作に関連するオン操作情報を取得し（Ｓ１０２）、
前記車線変更制御部から前記車線変更に関する車線変更情報を取得し（Ｓ１０４）、
前記車線変更情報に基づき、前記車線変更制御部が前記車線変更を待機している待機状態か否かを判定し（Ｓ１０５）、
前記車線変更が前記待機状態でない場合、前記車線変更の実行状態を示す実行通知コンテンツ（ＣＴｅ）を前景中の路面に重畳表示させ（Ｓ２０７，Ｓ３０７，Ｓ４０７）、
前記車線変更が前記待機状態である場合、前記実行通知コンテンツとは異なる態様の待機通知コンテンツ（ＣＴｗ）を前記路面に重畳表示させ（Ｓ２１３，Ｓ３１１，Ｓ４１１）、
前記待機状態か否かを判定する以前に、前記オン操作情報の取得に基づいて、前記オン操作の受け付けを通知する応答通知コンテンツ（ＣＴａ）を、重畳対象が特定されない非重畳コンテンツ（ＣＴｎ）として表示させる（Ｓ１０３）、
ことを含む処理を実行させる表示制御プログラム。
【請求項１６】
車両（Ａ）において用いられ、ヘッドアップディスプレイ（２０）によるコンテンツの重畳表示を制御する表示制御プログラムであって、
少なくとも一つの処理部（１１）に、
前記車両の車線変更を制御する車線変更制御部（５１）から、当該車線変更に関する車線変更情報を取得し（Ｓ１０４）、
前記車線変更情報に基づき、前記車線変更制御部が前記車線変更を待機している待機状態か否かを判定し（Ｓ１０５）、
前記車線変更が前記待機状態でない場合、前記車線変更の実行状態を示す実行通知コンテンツ（ＣＴｅ）を前景中の路面に重畳表示させ（Ｓ２０７，Ｓ３０７，Ｓ４０７）、
前記車線変更が前記待機状態である場合、前記実行通知コンテンツとは異なる態様の待機通知コンテンツ（ＣＴｗ）を前記路面に重畳表示させ（Ｓ２１３，Ｓ３１１，Ｓ４１１）、
前記ヘッドアップディスプレイの画角（ＶＡ）内に、前記車線変更での移動先となる隣接車線（Ｌｎｄ）を走行する他車両が視認される場合、前記他車両と重ならないよう前記待機通知コンテンツの形状を補正する（Ｓ１１４，Ｓ２１４，Ｓ３１２，Ｓ４１２）、
ことを含む処理を実行させる表示制御プログラム。
【請求項１７】
車両（Ａ）において用いられ、ヘッドアップディスプレイ（２０）によるコンテンツの重畳表示を制御する表示制御プログラムであって、
少なくとも一つの処理部（１１）に、
前記車両の車線変更を制御する車線変更制御部（５１）から前記車線変更の実施を指示するオン操作に関連するオン操作情報を取得し（Ｓ１０２）、
前記車線変更制御部から前記車線変更に関する車線変更情報を取得し（Ｓ１０４）、
前記車線変更情報に基づき、前記車線変更制御部が前記車線変更を待機している待機状態か否かを判定し（Ｓ１０５）、
前記車線変更が前記待機状態でない場合、前記車線変更の実行状態を示す実行通知コンテンツ（ＣＴｅ）を前景中の路面に重畳表示させ（Ｓ１０７，Ｓ４０７）、
前記車線変更が前記待機状態である場合、前記実行通知コンテンツと関連する態様の待機通知コンテンツ（ＣＴｗｎ）を、重畳対象が特定されない非重畳コンテンツ（ＣＴｎ）として表示させ（Ｓ１１３，Ｓ４１２）、
前記待機状態か否かを判定する以前に、前記オン操作情報の取得に基づき、前記オン操作の受け付けを通知する応答通知コンテンツ（ＣＴａ）を、前記非重畳コンテンツとして表示させる（Ｓ１０３）、
ことを含む処理を実行させる表示制御プログラム。
【請求項１８】
車両（Ａ）において用いられ、ヘッドアップディスプレイ（２０）によるコンテンツの重畳表示を制御する表示制御プログラムであって、
少なくとも一つの処理部（１１）に、
前記車両の車線変更を制御する車線変更制御部（５１）から前記車線変更の実施を指示するオン操作に関連するオン操作情報を取得し（Ｓ１０２）、
前記車線変更制御部から前記車線変更に関する車線変更情報を取得し（Ｓ１０４）、
前記車線変更情報に基づき、前記車線変更制御部が前記車線変更を待機している待機状態か否かを判定し（Ｓ１０５）、
前記車線変更が前記待機状態でない場合、前記車線変更の実行状態を示す実行通知コンテンツ（ＣＴｅ）を前景中の路面に重畳表示させ（Ｓ１０７，Ｓ４０７）、
前記車線変更が前記待機状態である場合、前記実行通知コンテンツと関連する態様の待機通知コンテンツ（ＣＴｗｎ）を、重畳対象が特定されない非重畳コンテンツ（ＣＴｎ）として表示させ（Ｓ１１３，Ｓ４１２）、
前記オン操作情報の取得に基づき、前記オン操作の受け付けを通知する、前記実行通知コンテンツと関連する態様の応答通知コンテンツ（ＣＴａ）を、前記非重畳コンテンツとして表示させる（Ｓ１０３）、
ことを含む処理を実行させる表示制御プログラム。
【請求項１９】
車両（Ａ）において用いられ、ヘッドアップディスプレイ（２０）によるコンテンツの重畳表示を制御する表示制御プログラムであって、
少なくとも一つの処理部（１１）に、
前記車両の車線変更を制御する車線変更制御部（５１）から前記車線変更の実施を指示するオン操作に関連するオン操作情報を取得し（Ｓ１０２）、
前記車線変更制御部から前記車線変更に関する車線変更情報を取得し（Ｓ１０４）、
前記車線変更情報に基づき、前記車線変更制御部が前記車線変更を待機している待機状態か否かを判定し（Ｓ１０５）、
前記車線変更が前記待機状態でない場合、前記車線変更の実行状態を示す実行通知コンテンツ（ＣＴｅ）を前景中の路面に重畳表示させ（Ｓ２０７，Ｓ３０７，Ｓ４０７）、
前記車線変更が前記待機状態である場合、前記実行通知コンテンツと関連する態様の待機通知コンテンツ（ＣＴｗｎ）を前記路面に重畳表示させ（Ｓ１１３，Ｓ４１２）、
前記オン操作情報の取得に基づき、前記オン操作の受け付けを通知する、前記実行通知コンテンツと関連する態様の応答通知コンテンツ（ＣＴａ）を前記路面に重畳表示させる（Ｓ１０３）、
ことを含む処理を実行させる表示制御プログラム。
【請求項２０】
車両（Ａ）において用いられ、ヘッドアップディスプレイ（２０）によるコンテンツの重畳表示を制御する表示制御プログラムであって、
少なくとも一つの処理部（１１）に、
前記車両の車線変更を制御する車線変更制御部（５１）から、当該車線変更に関する車線変更情報を取得し（Ｓ１０４）、
前記車線変更情報に基づき、前記車線変更制御部が前記車線変更を待機している待機状態か否かを判定し（Ｓ１０５）、
前記車線変更が前記待機状態でない場合、前記車線変更の実行状態を示す実行通知コンテンツ（ＣＴｅ）を前景中の路面に重畳表示させ（Ｓ１０７，Ｓ４０７）、
前記車線変更が前記待機状態である場合、前記実行通知コンテンツと関連する態様の待機通知コンテンツ（ＣＴｗｎ）を、重畳対象が特定されない非重畳コンテンツ（ＣＴｎ）として表示させ（Ｓ１１３）、
前記ヘッドアップディスプレイの画角（ＶＡ）内に、前記車線変更での移動先となる隣接車線（Ｌｎｄ）を走行する他車両が視認される場合、前記他車両と重ならないよう前記待機通知コンテンツの形状を補正する（Ｓ１１４，Ｓ４１２）、
ことを含む処理を実行させる表示制御プログラム。
【手続補正２】
【補正対象書類名】明細書
【補正対象項目名】０００６
【補正方法】変更
【補正の内容】
【０００６】
上記目的を達成するため、開示された一つの態様は、車両（Ａ）において用いられ、ヘッドアップディスプレイ（２０）によるコンテンツの重畳表示を制御する表示制御装置であって、車両の車線変更を制御する車線変更制御部（５１）から、当該車線変更に関する車線変更情報を取得する情報取得部（７２）と、車線変更情報に基づき、車線変更制御部が車線変更を待機している待機状態か否かを判定する状態判定部（７５）と、状態判定部が待機状態でないと判定した場合、車線変更の実行状態を示す実行通知コンテンツ（ＣＴｅ）を前景中の路面に重畳表示させ、状態判定部が待機状態であると判定した場合、実行通知コンテンツとは異なる態様の待機通知コンテンツ（ＣＴｗ）を路面に重畳表示させる表示制御部（７６）と、を備え、情報取得部は、車線変更制御部に車線変更の実施を指示するオン操作に関連するオン操作情報を取得し、表示制御部は、待機状態か否かが状態判定部によって判定される以前に、情報取得部によるオン操作情報の取得に基づき、オン操作の受け付けを通知する応答通知コンテンツ（ＣＴａ）を、重畳対象が特定されない非重畳コンテンツ（ＣＴｎ）として表示させる表示制御装置とされる。
また開示された一つの態様は、車両（Ａ）において用いられ、ヘッドアップディスプレイ（２０）によるコンテンツの重畳表示を制御する表示制御装置であって、車両の車線変更を制御する車線変更制御部（５１）から、当該車線変更に関する車線変更情報を取得する情報取得部（７２）と、車線変更情報に基づき、車線変更制御部が車線変更を待機している待機状態か否かを判定する状態判定部（７５）と、状態判定部が待機状態でないと判定した場合、車線変更の実行状態を示す実行通知コンテンツ（ＣＴｅ）を前景中の路面に重畳表示させ、状態判定部が待機状態であると判定した場合、実行通知コンテンツとは異なる態様の待機通知コンテンツ（ＣＴｗ）を路面に重畳表示させる表示制御部（７６）と、を備え、表示制御部は、ヘッドアップディスプレイの画角（ＶＡ）内に、車線変更での移動先となる隣接車線（Ｌｎｄ）を走行する他車両が視認される場合、他車両と重ならないよう待機通知コンテンツの形状を補正する表示制御装置とされる。
【手続補正３】
【補正対象書類名】明細書
【補正対象項目名】０００７
【補正方法】変更
【補正の内容】
【０００７】
また開示された一つの態様は、車両（Ａ）において用いられ、ヘッドアップディスプレイ（２０）によるコンテンツの重畳表示を制御する表示制御プログラムであって、少なくとも一つの処理部（１１）に、車両の車線変更を制御する車線変更制御部（５１）から車線変更の実施を指示するオン操作に関連するオン操作情報を取得し（Ｓ１０２）、車線変更制御部から車線変更に関する車線変更情報を取得し（Ｓ１０４）、車線変更情報に基づき、車線変更制御部が車線変更を待機している待機状態か否かを判定し（Ｓ１０５）、車線変更が待機状態でない場合、車線変更の実行状態を示す実行通知コンテンツ（ＣＴｅ）を前景中の路面に重畳表示させ（Ｓ２０７，Ｓ３０７，Ｓ４０７）、車線変更が待機状態である場合、実行通知コンテンツとは異なる態様の待機通知コンテンツ（ＣＴｗ）を路面に重畳表示させ（Ｓ２１３，Ｓ３１１，Ｓ４１１）、待機状態か否かを判定する以前に、オン操作情報の取得に基づいて、オン操作の受け付けを通知する応答通知コンテンツ（ＣＴａ）を、重畳対象が特定されない非重畳コンテンツ（ＣＴｎ）として表示させる（Ｓ１０３）、ことを含む処理を実行させる表示制御プログラムとされる。
また開示された一つの態様は、車両（Ａ）において用いられ、ヘッドアップディスプレイ（２０）によるコンテンツの重畳表示を制御する表示制御プログラムであって、少なくとも一つの処理部（１１）に、車両の車線変更を制御する車線変更制御部（５１）から、当該車線変更に関する車線変更情報を取得し（Ｓ１０４）、車線変更情報に基づき、車線変更制御部が車線変更を待機している待機状態か否かを判定し（Ｓ１０５）、車線変更が待機状態でない場合、車線変更の実行状態を示す実行通知コンテンツ（ＣＴｅ）を前景中の路面に重畳表示させ（Ｓ２０７，Ｓ３０７，Ｓ４０７）、車線変更が待機状態である場合、実行通知コンテンツとは異なる態様の待機通知コンテンツ（ＣＴｗ）を路面に重畳表示させ（Ｓ２１３，Ｓ３１１，Ｓ４１１）、ヘッドアップディスプレイの画角（ＶＡ）内に、車線変更での移動先となる隣接車線（Ｌｎｄ）を走行する他車両が視認される場合、他車両と重ならないよう待機通知コンテンツの形状を補正する（Ｓ１１４，Ｓ２１４，Ｓ３１２，Ｓ４１２）、ことを含む処理を実行させる表示制御プログラムとされる。
【手続補正４】
【補正対象書類名】明細書
【補正対象項目名】０００９
【補正方法】変更
【補正の内容】
【０００９】
また開示された一つの態様は、車両（Ａ）において用いられ、ヘッドアップディスプレイ（２０）によるコンテンツの重畳表示を制御する表示制御装置であって、車両の車線変更を制御する車線変更制御部（５１）から、当該車線変更に関する車線変更情報を取得する情報取得部（７２）と、車線変更情報に基づき、車線変更制御部が車線変更を待機している待機状態か否かを判定する状態判定部（７５）と、状態判定部が待機状態でないと判定した場合、車線変更の実行状態を示す実行通知コンテンツ（ＣＴｅ）を前景中の路面に重畳表示させ、状態判定部が待機状態であると判定した場合、実行通知コンテンツと関連する態様の待機通知コンテンツ（ＣＴｗｎ）を、重畳対象が特定されない非重畳コンテンツ（ＣＴｎ）として表示させる表示制御部（７６）と、を備え、情報取得部は、車線変更制御部に車線変更の実施を指示するオン操作に関連するオン操作情報を取得し、表示制御部は、待機状態か否かが状態判定部によって判定される以前に、情報取得部によるオン操作情報の取得に基づき、オン操作の受け付けを通知する応答通知コンテンツ（ＣＴａ）を、非重畳コンテンツとして表示させる表示制御装置とされる。
また開示された一つの態様は、車両（Ａ）において用いられ、ヘッドアップディスプレイ（２０）によるコンテンツの重畳表示を制御する表示制御装置であって、車両の車線変更を制御する車線変更制御部（５１）から、当該車線変更に関する車線変更情報を取得する情報取得部（７２）と、車線変更情報に基づき、車線変更制御部が車線変更を待機している待機状態か否かを判定する状態判定部（７５）と、状態判定部が待機状態でないと判定した場合、車線変更の実行状態を示す実行通知コンテンツ（ＣＴｅ）を前景中の路面に重畳表示させ、状態判定部が待機状態であると判定した場合、実行通知コンテンツと関連する態様の待機通知コンテンツ（ＣＴｗｎ）を、重畳対象が特定されない非重畳コンテンツ（ＣＴｎ）として表示させる表示制御部（７６）と、を備え、情報取得部は、車線変更制御部に車線変更の実施を指示するオン操作に関連するオン操作情報を取得し、表示制御部は、情報取得部によるオン操作情報の取得に基づき、オン操作の受け付けを通知する、実行通知コンテンツと関連する態様の応答通知コンテンツ（ＣＴａ）を、非重畳コンテンツとして表示させる表示制御装置とされる。
また開示された一つの態様は、車両（Ａ）において用いられ、ヘッドアップディスプレイ（２０）によるコンテンツの重畳表示を制御する表示制御装置であって、車両の車線変更を制御する車線変更制御部（５１）から、当該車線変更に関する車線変更情報を取得する情報取得部（７２）と、車線変更情報に基づき、車線変更制御部が車線変更を待機している待機状態か否かを判定する状態判定部（７５）と、状態判定部が待機状態でないと判定した場合、車線変更の実行状態を示す実行通知コンテンツ（ＣＴｅ）を前景中の路面に重畳表示させ、状態判定部が待機状態であると判定した場合、実行通知コンテンツと関連する態様の待機通知コンテンツ（ＣＴｗｎ）を路面に重畳表示させる表示制御部（７６）と、を備え、情報取得部は、車線変更制御部に車線変更の実施を指示するオン操作に関連するオン操作情報を取得し、表示制御部は、情報取得部によるオン操作情報の取得に基づき、オン操作の受け付けを通知する、実行通知コンテンツと関連する態様の応答通知コンテンツ（ＣＴａ）を路面に重畳表示させる表示制御装置とされる。
また開示された一つの態様は、車両（Ａ）において用いられ、ヘッドアップディスプレイ（２０）によるコンテンツの重畳表示を制御する表示制御装置であって、車両の車線変更を制御する車線変更制御部（５１）から、当該車線変更に関する車線変更情報を取得する情報取得部（７２）と、車線変更情報に基づき、車線変更制御部が車線変更を待機している待機状態か否かを判定する状態判定部（７５）と、状態判定部が待機状態でないと判定した場合、車線変更の実行状態を示す実行通知コンテンツ（ＣＴｅ）を前景中の路面に重畳表示させ、状態判定部が待機状態であると判定した場合、実行通知コンテンツと関連する態様の待機通知コンテンツ（ＣＴｗｎ）を、重畳対象が特定されない非重畳コンテンツ（ＣＴｎ）として表示させる表示制御部（７６）と、を備え、表示制御部は、ヘッドアップディスプレイの画角（ＶＡ）内に、車線変更での移動先となる隣接車線（Ｌｎｄ）を走行する他車両が視認される場合、他車両と重ならないよう待機通知コンテンツの形状を補正する表示制御装置とされる。
【手続補正５】
【補正対象書類名】明細書
【補正対象項目名】００１０
【補正方法】変更
【補正の内容】
【００１０】
また開示された一つの態様は、車両（Ａ）において用いられ、ヘッドアップディスプレイ（２０）によるコンテンツの重畳表示を制御する表示制御プログラムであって、少なくとも一つの処理部（１１）に、車両の車線変更を制御する車線変更制御部（５１）から車線変更の実施を指示するオン操作に関連するオン操作情報を取得し（Ｓ１０２）、車線変更制御部から車線変更に関する車線変更情報を取得し（Ｓ１０４）、車線変更情報に基づき、車線変更制御部が車線変更を待機している待機状態か否かを判定し（Ｓ１０５）、車線変更が待機状態でない場合、車線変更の実行状態を示す実行通知コンテンツ（ＣＴｅ）を前景中の路面に重畳表示させ（Ｓ１０７，Ｓ４０７）、車線変更が待機状態である場合、実行通知コンテンツと関連する態様の待機通知コンテンツ（ＣＴｗｎ）を、重畳対象が特定されない非重畳コンテンツ（ＣＴｎ）として表示させ（Ｓ１１３，Ｓ４１２）、待機状態か否かを判定する以前に、オン操作情報の取得に基づき、オン操作の受け付けを通知する応答通知コンテンツ（ＣＴａ）を、非重畳コンテンツとして表示させる（Ｓ１０３）、ことを含む処理を実行させる表示制御プログラムとされる。
また開示された一つの態様は、車両（Ａ）において用いられ、ヘッドアップディスプレイ（２０）によるコンテンツの重畳表示を制御する表示制御プログラムであって、少なくとも一つの処理部（１１）に、車両の車線変更を制御する車線変更制御部（５１）から車線変更の実施を指示するオン操作に関連するオン操作情報を取得し（Ｓ１０２）、車線変更制御部から車線変更に関する車線変更情報を取得し（Ｓ１０４）、車線変更情報に基づき、車線変更制御部が車線変更を待機している待機状態か否かを判定し（Ｓ１０５）、車線変更が待機状態でない場合、車線変更の実行状態を示す実行通知コンテンツ（ＣＴｅ）を前景中の路面に重畳表示させ（Ｓ１０７，Ｓ４０７）、車線変更が待機状態である場合、実行通知コンテンツと関連する態様の待機通知コンテンツ（ＣＴｗｎ）を、重畳対象が特定されない非重畳コンテンツ（ＣＴｎ）として表示させ（Ｓ１１３，Ｓ４１２）、オン操作情報の取得に基づき、オン操作の受け付けを通知する、実行通知コンテンツと関連する態様の応答通知コンテンツ（ＣＴａ）を、非重畳コンテンツとして表示させる（Ｓ１０３）、ことを含む処理を実行させる表示制御プログラムとされる。
また開示された一つの態様は、車両（Ａ）において用いられ、ヘッドアップディスプレイ（２０）によるコンテンツの重畳表示を制御する表示制御プログラムであって、少なくとも一つの処理部（１１）に、車両の車線変更を制御する車線変更制御部（５１）から車線変更の実施を指示するオン操作に関連するオン操作情報を取得し（Ｓ１０２）、車線変更制御部から車線変更に関する車線変更情報を取得し（Ｓ１０４）、車線変更情報に基づき、車線変更制御部が車線変更を待機している待機状態か否かを判定し（Ｓ１０５）、車線変更が待機状態でない場合、車線変更の実行状態を示す実行通知コンテンツ（ＣＴｅ）を前景中の路面に重畳表示させ（Ｓ２０７，Ｓ３０７，Ｓ４０７）、車線変更が待機状態である場合、実行通知コンテンツと関連する態様の待機通知コンテンツ（ＣＴｗｎ）を路面に重畳表示させ（Ｓ１１３，Ｓ４１２）、オン操作情報の取得に基づき、オン操作の受け付けを通知する、実行通知コンテンツと関連する態様の応答通知コンテンツ（ＣＴａ）を路面に重畳表示させる（Ｓ１０３）、ことを含む処理を実行させる表示制御プログラムとされる。
また開示された一つの態様は、車両（Ａ）において用いられ、ヘッドアップディスプレイ（２０）によるコンテンツの重畳表示を制御する表示制御プログラムであって、少なくとも一つの処理部（１１）に、車両の車線変更を制御する車線変更制御部（５１）から、当該車線変更に関する車線変更情報を取得し（Ｓ１０４）、車線変更情報に基づき、車線変更制御部が車線変更を待機している待機状態か否かを判定し（Ｓ１０５）、車線変更が待機状態でない場合、車線変更の実行状態を示す実行通知コンテンツ（ＣＴｅ）を前景中の路面に重畳表示させ（Ｓ１０７，Ｓ４０７）、車線変更が待機状態である場合、実行通知コンテンツと関連する態様の待機通知コンテンツ（ＣＴｗｎ）を、重畳対象が特定されない非重畳コンテンツ（ＣＴｎ）として表示させ（Ｓ１１３）、ヘッドアップディスプレイの画角（ＶＡ）内に、車線変更での移動先となる隣接車線（Ｌｎｄ）を走行する他車両が視認される場合、他車両と重ならないよう待機通知コンテンツの形状を補正する（Ｓ１１４，Ｓ４１２）、ことを含む処理を実行させる表示制御プログラムとされる。